(57)【要約】      （修正有）【課題】商品の在庫をリアルタイムに管理できる商品在庫管理システムを提供する。【解決手段】本商品在庫管理システムは、第１制御手段および第１記憶手段を備えた在庫照会端末と、在庫照会端末が直接または間接的に接続され、第２制御手段、並びに店コードと商品の単品コードに関連付けられたその商品のその店の在庫数のデータを予め記憶した第２記憶手段、および店コードと単品コードに関連付けられた商品属性データを予め記憶した第３記憶手段を備えた基幹サーバーと、前記在庫照会端末に無線または有線で接続され、商品情報の登録または変更を行おうとしている商品の単品コード等の情報を入力するための入力手段と、前記在庫照会端末に無線または有線で接続され、タッチパネル式ディスプレイおよび該タッチパネル式ディスプレイを駆動して、所望の商品の画像を表示させるディスプレイ駆動手段を備えるタッチパネル式ディスプレイ手段とを備えている。【選択図】図１
2010039666.tif 000002
【特許請求の範囲】
【請求項１】
第１制御手段および第１記憶手段を備えた在庫照会端末と、在庫照会端末が直接または間接的に接続され、第２制御手段、並びに店コードと商品の単品コードに関連付けられたその商品のその店の在庫数のデータを予め記憶した第２記憶手段、および店コードと単品コードに関連付けられた商品属性データを予め記憶した第３記憶手段を備えた基幹サーバーと、前記在庫照会端末に無線または有線で接続され、商品情報の登録または変更を行おうとしている商品の単品コード等の情報を入力するための入力手段と、前記在庫照会端末に内蔵か、外付けされ、商品情報の登録または変更を行おうとしている商品の画像データを入力するためのデジタルカメラと、前記在庫照会端末に無線または有線で接続され、タッチパネル式ディスプレイおよび該タッチパネル式ディスプレイを駆動して、所望の商品の画像を表示させるディスプレイ駆動手段を備えるタッチパネル式ディスプレイ手段とを備え、前記在庫照会端末の第１制御手段は、前記入力手段により入力された単品コードとそのショップの店コードとを関連付けて基幹サーバーに送信し、前記基幹サーバーの第２制御手段は、送信されてきた単品コードと店コードの中から単品コードに基付き、前記サーバー記憶手段からその単品コードに基づき前記商品属性データを引き出し、該商品属性データを前記在庫照会端末に送信し、前記在庫照会端末の第１制御手段は、前記第１記憶手段に、前記カメラにより入力された商品の画像データと、前記単品コードおよび商品属性データと、前記入力手段により入力されたその商品のそのショップでの在庫数データを関連付けて記憶させるようになっており、前記ディスプレイ駆動手段は、前記タッチパネル式ディスプレイに表示すべき商品の型番コードに関連付けられた少なくとも１つの画像データを記憶する第４記憶手段を有しているとともに、前記タッチパネル式ディスプレイに表示すべき商品の型番コードに関連付けられた少なくとも１つの商品の画像データを前記タッチパネル式ディスプレイ手段に送信し、前記タッチパネル式ディスプレイ手段は、この送信されてきた画像データに基づき商品を表示するとともにその型番コードに基づきその商品の型番を表示するようになっており、前記在庫照会端末は、前記タッチパネル式ディスプレイに表示された商品の画面がタッチされると、その画面の商品の型番コードを認識する型番認識制御手段を備え、該型番認識制御手段は、その認識した前記型番コードを第１制御手段に送信し、該第１制御手段は、前記第１記憶手段からその型番コードが示す型番に属する単品の属性と在庫数を読み出し、これらを前記ディスプレイ駆動手段に送信して、前記タッチパネル式ディスプレイに商品単品の属性とその在庫状況を表示させるようにしたことを特徴とする商品在庫管理システム。
【請求項２】
買い上げ商品の認識を行う買い上げ商品認識手段を備え、この買い上げ商品認識手段が認識した商品の各記憶手段に記憶されている在庫数を減算するようになっている請求項１に記載の商品在庫管理システム。
【請求項３】
前記買い上げ商品認識手段がＰＯＳ端末である請求項２に記載の商品在庫管理システム。
【請求項４】
前記第２記憶手段および第３記憶手段が、一つの記憶手段で構成されている請求項１〜３のいずれかに記載の商品在庫管理システム。
【請求項５】
前記入力手段が、当該商品に付けられる値札に印刷された単品コードを示すバーコードを読み取るバーコードリーダーである請求項１〜４のいずれかに記載の商品在庫管理システム。
【請求項６】
前記買い上げ商品認識手段が、当該商品に付けられる値札に印刷された単品コードを示すバーコードを読み取るバーコードリーダーを備えている請求項２〜５のいずれかに記載の商品在庫管理システム。
【請求項７】
前記第４記憶手段には、前記タッチパネル式ディスプレイに表示すべき商品の型番コードに関連付けられた複数の商品の画像データが記憶されている請求項１〜６のいずれかに記載の商品在庫管理システム。
【請求項８】
前記在庫照会端末は、前記第４記憶手段に記憶された商品の画像データ中からタッチパネル式ディスプレイに表示すべき商品の画像データを自動的に選択するコンピュータ・プログラムを記憶した第５記憶手段を備えている請求項７に記載の商品在庫管理システム。
【請求項９】
前記第１記憶手段と第４記憶手段が一体である請求項１〜８のいずれかに記載の商品在庫管理システム。
【請求項１０】
前記コンピュータ・プログラムが、前記ディスプレイ駆動手段をして、前記タッチパネル式ディスプレイに単数または複数の商品の画像をスライドショー形式で表示するためのブログラムを有している請求項７〜９のいずれかに記載の商品在庫管理システム。
【請求項１１】
前記商品属性データが、その商品の型番を示す型番コード、カラーデータ、サイズデータおよび価格データを備える請求項１〜１０のいずれかに記載の商品在庫管理システム。
【請求項１２】
納品処理サーバーにより、第２記憶手段に、店コードと商品の単品コードに関連付けられたその商品のその店の在庫数のデータを予め記憶させ、そして、第３記憶手段に、単品コードに関連付けられた商品属性データを予め記憶させるようになっている請求項１〜１１のいずれかに記載の商品在庫管理システム。
【請求項１３】
前記第１制御手段が前記第５記憶手段を備えている請求項８〜１２のいずれかに記載の商品在庫管理システム。
【発明の詳細な説明】
【技術分野】
【０００１】
本発明は、商品在庫管理システムに関し、特に商品在庫をリアルタイムで管理し、タッチパネルを利用して顧客に商品在庫を知らしめることのできる商品在庫管理システムに関するものである。
【背景技術】
【０００２】
タッチパネルを利用した商品の販売システムとしては、特開２００５−３３２１４０号公報で提案されたものが知られている。
【０００３】
特開２００５−３３２１４０号公報で提案された商品の販売システムは、店頭に、コンピュータに接続したタッチパネルを設置し、上記コンピュータに、当該店舗に陳列していない商品を含む多くの商品の情報を搭載し、店員又は顧客が当該タッチパネルを操作して顧客が望む商品の情報を表示し、これを基に顧客に商品を選別させて商品を販売するタッチパネルを使用したものである。また、上記商品の販売システムにおいては、上記商品の情報をブランド別、ブランドの中の柄別、同じ柄の中の色別に順に表示し、また当該商品の情報として画像、柄、素材、色、価格、商品名、単品コード又はこれらの中の何れかを表示する。
【０００４】
さらに、特開２００５−３３２１４０号公報で提案された商品の販売システムにおいては、上記コンピュータにおける商品の情報の変更又は更新は、情報記録媒体、例えば、ＣＦカード、ＰＣカード、フロッピー(登録商標、以下同じ)ディスクやコンパクトディスク、ＤＶＤなどを言い、これらのものを取り替え又は差し替えて随時行うようになっている。さらにまた、上記店舗のコンピュータを、メーカー又は管理会社のコンピュータとインターネットにより接続し、メーカー又は管理会社のコンピュータによってインターネットを通じて上記店舗のコンピュータの商品の情報の変更又は更新が出来る様になっている。
【０００５】
さらに、上記店舗のコンピュータを他店舗の各コンピュータとインターネットにより接続し、当該インターネットを通じて一店舗のタッチパネルによって他店舗の商品の情報が表示出来る様になっている。
【０００６】
この特開２００５−３３２１４０号公報で提案された商品の販売システムによれば、店頭に商品の情報を搭載したタッチパネルを設置したので、当該店頭に陳列していない多くの商品の情報を顧客に提供することが出来、この情報によって顧客は、広い範囲の商品の中から購入商品を選ぶことが出来、限られたスペースの店頭であっても、顧客の様々に多様化したニーズに応えることが出来、商品の売上げに大きく貢献するものである。また店頭在庫を大幅に減らすことが出来、店舗全体のコストダウンに大きく寄与するものである。またこの店頭に設置したタッチパネルにコンピュータを内蔵させれば、これ自体で作動し、他の通信機器等に接続したりする煩わしさが無く、店頭に容易に設置することができる。
【０００７】
また、タッチパネルにおいて表示できる商品の情報をブランド別、ブランドの中の柄別等に分け、さらにブランド名、画像、柄、素材、色、価格等を表示することができるようにしたので、顧客が商品を選ぶ際に基準となる又は参考とする情報を極めて簡単に得ることが出来、商品の選択を容易にするものである。さらに、商品の情報をフロッピーディスク等を取り替え又は差し替えて行うようにしたので、店頭の販売員等によって極めて容易に新しい商品の情報に更新することが出来、さらに、商品の情報の変更又は更新をメーカー又は管理会社のコンピュータによってインターネットを通じて行うようにしたので、店頭のタッチパネルで常に最新の商品の情報を表示することが出来、商品の売上げに大きく貢献するものである。
【０００８】
さらにまた、一店舗に設置したタッチパネルにおいて他店舗に設置したコンピュータの情報を表示出来る様にしたので、一店舗のコンピュータに搭載していない商品の情報であっても、他店舗のコンピュータに搭載している商品の情報ならば、常時表示することが出来、極めて多くの商品の情報を一店舗のタッチパネルにおいて入手することが出来るので、顧客の様々に多様化したニーズにより応えることが出来、商品の売上げに大きく貢献するものである。
【発明の開示】
【発明が解決しようとする課題】
【０００９】
特開２００５−３３２１４０号公報で提案された商品の販売システムにおいては、上記したような効果を有するが、その商品の在庫の管理がなされておらず、顧客がせっかく購入しようとする商品を選んでもそのサイズの商品の在庫が無く、販売のチャンスを逃してしまうようなことがあるとともに、顧客に迷惑をかけることがあった。
【００１０】
そこで、本発明は、特に商品在庫をリアルタイムで管理し、タッチパネルを利用して顧客に商品在庫を知らしめることのできる商品在庫管理システムを提供することを目的とする。
【課題を解決するための手段】
【００１１】
（１）第１制御手段および第１記憶手段を備えた在庫照会端末と、在庫照会端末が直接または間接的に接続され、第２制御手段、並びに店コードと商品の単品コードに関連付けられたその商品のその店の在庫数のデータを予め記憶した第２記憶手段、および店コードと単品コードに関連付けられた商品属性データを予め記憶した第３記憶手段を備えた基幹サーバーと、前記在庫照会端末に無線または有線で接続され、商品情報の登録または変更を行おうとしている商品の単品コード等の情報を入力するための入力手段と、前記在庫照会端末に内蔵か、外付けされ、商品情報の登録または変更を行おうとしている商品の画像データを入力するためのデジタルカメラと、前記在庫照会端末に無線または有線で接続され、タッチパネル式ディスプレイおよび該タッチパネル式ディスプレイを駆動して、所望の商品の画像を表示させるディスプレイ駆動手段を備えるタッチパネル式ディスプレイ手段とを備え、前記在庫照会端末の第１制御手段は、前記入力手段により入力された単品コードとそのショップの店コードとを関連付けて基幹サーバーに送信し、前記基幹サーバーの第２制御手段は、送信されてきた単品コードと店コードの中から単品コードに基付き、前記サーバー記憶手段からその単品コードに基づき前記商品属性データを引き出し、該商品属性データを前記在庫照会端末に送信し、前記在庫照会端末の第１制御手段は、前記第１記憶手段に、前記前記カメラにより入力された商品の画像データと、前記単品コードおよび商品属性データと、前記入力手段により入力されたその商品のそのショップでの在庫数データを関連付けて記憶させるようになっており、前記ディスプレイ駆動手段は、前記タッチパネル式ディスプレイに表示すべき商品の型番コードに関連付けられた少なくとも１つの画像データを記憶する第４記憶手段を有しているとともに、前記タッチパネル式ディスプレイに表示すべき商品の型番コードに関連付けられた少なくとも１つの商品の画像データを前記タッチパネル式ディスプレイ手段に送信し、前記タッチパネル式ディスプレイ手段は、この送信されてきた画像データに基づき商品を表するとともにその型番コードに基づきその商品の型番を表示するようになっており、前記在庫照会端末は、前記タッチパネル式ディスプレイに表示された商品の画面がタッチされると、その画面の商品の型番コードを認識する型番認識制御手段を備え、該型番認識制御手段は、その認識した前記型番コードを第１制御手段に送信し、該第１制御手段は、前記第１記憶手段からその型番コードが示す型番に属する単品の属性と在庫数を読み出し、これらを前記ディスプレイ駆動手段に送信して、前記タッチパネル式ディスプレイに商品単品の属性とその在庫状況を表示させるようにしたことを特徴とする商品在庫管理システム。
（２）買い上げ商品の認識を行う買い上げ商品認識手段を備え、この買い上げ商品認識手段が認識した商品の各記憶手段に記憶されている在庫数を減算するようになっている上記（１）に記載の商品在庫管理システム。
（３）前記買い上げ商品認識手段がＰＯＳ端末である上記（２）に記載の商品在庫管理システム。
（４）前記第２記憶手段および第３記憶手段が、一つの記憶手段で構成されている上記（１）〜（３）のいずれかに記載の商品在庫管理システム。
（５）前記入力手段が、当該商品に付けられる値札に印刷された単品コードを示すバーコードを読み取るバーコードリーダーである（１）〜（４）のいずれかに記載の商品在庫管理システム。
（６）前記買い上げ商品認識手段が、当該商品に付けられる値札に印刷された単品コードを示すバーコードを読み取るバーコードリーダーを備えている（２）〜（５）のいずれかに記載の商品在庫管理システム。
（７）前記第４記憶手段には、前記タッチパネル式ディスプレイに表示すべき商品の型番コードに関連付けられた複数の商品の画像データが記憶されている（１）〜（６）のいずれかに記載の商品在庫管理システム。
（８）前記在庫照会端末は、前記第４記憶手段に記憶された商品の画像データ中からタッチパネル式ディスプレイに表示すべき商品の画像データを自動的に選択するコンピュータ・プログラムを記憶した第５記憶手段を備えている（７）に記載の商品在庫管理システム。
（９）前記第１記憶手段と第４記憶手段が一体である（１）〜（８）のいずれかに記載の商品在庫管理システム。
（１０）前記コンピュータ・プログラムが、前記ディスプレイ駆動手段をして、前記タッチパネル式ディスプレイに単数または複数の商品の画像をスライドショー形式で表示するためのブログラムを有している（７）〜（９）のいずれかに記載の商品在庫管理システム。
（１１）前記商品属性データが、その商品の型番を示す型番コード、カラーデータ、サイズデータおよび価格データを備える（１）〜（１０）のいずれかに記載の商品在庫管理システム。
（１２）納品処理サーバーにより、第２記憶手段に、店コードと商品の単品コードに関連付けられたその商品のその店の在庫数のデータを予め記憶させ、そして、第３記憶手段に、単品コードに関連付けられた商品属性データを予め記憶させるようになっている（１）〜（１１）のいずれかに記載の商品在庫管理システム。
（１３）前記第１制御手段が前記第５記憶手段を備えている上記（８）〜（１２）のいずれかに記載の商品在庫管理システム。
【発明を実施するための最良の形態】
【００１２】
以下、添付図面を参照しつつ、本発明の好ましい実施の形態による商品在庫管理システム について説明する。
図１は、本発明の実施の形態による商品在庫管理システムのブロック図である。
【００１３】
図１に示されているように、本発明の実施の形態による商品在庫管理システムは、各店（デパートであると、各ショップを指す）に設けられ、第１制御手段である制御手段１２および第１記憶手段のである商品マスターファイル１４を備えた在庫照会端末１０と、この在庫照会端末１０が直接または間接的に接続され、第２制御手段である制御手段５２、並びに店コードと商品の単品コードに関連付けられたその商品のその店の在庫数のデータを予め記憶した第２記憶手段であるリアルタイム在庫データファイル５４、および店コードと単品コードに関連付けられた商品属性データを予め記憶した第３記憶手段である単品マスターファイル５６を備えた基幹サーバー５０と、前記在庫照会端末に無線または有線で接続され、商品情報の登録または変更を行おうとしている商品の単品コード等の情報を入力するための入力手段である内蔵キーボード１６および外付けバーコードスキャナ１８と、前記在庫照会端末１０に内蔵か、外付けされ、商品情報の登録または変更を行おうとしている商品の画像データを入力するためのデジタルカメラ２０と、前記在庫照会端末１０に無線または有線で接続され、タッチパネル式ディスプレイ２２および該タッチパネル式ディスプレイ２２を駆動して、所望の商品の画像を表示させるディスプレイ駆動手段２４を備えるタッチパネル式ディスプレイ手段２６とを備えている。
【００１４】
タッチパネル式ディスプレイ手段２６は、さらにタッチされたときにタッチパネル式ディスプレイ２２に表示されていた画面およびその位置からその商品の型番を検出制御する型番認識制御手段２８を備えている。
【００１５】
上記キーボード１６、バーコードスキャナ１８、デジタルカメラ２０および型番認識制御手段２８は、入出力制御手段３０を介して制御手段１２に接続されている。上記商品マスターファイル１４は、書込・読取手段３２を介して上記制御手段１２に接続されている。
【００１６】
在庫照会端末１０は、その入出力制御手段３０および基幹サーバー５０の入出力制御手段５８を介して該基幹サーバー５０の制御手段５２に接続されている。
【００１７】
基幹サーバー５０の制御手段５２は、書込・読取手段５９を介してリアルタイム在庫データファイル５４および単品マスターファイル５６に接続されている。
【００１８】
基幹サーバー５０の制御手段５２には、納品処理サーバー６０、フロントエンドプロセッサ６２および基幹サーバー５０の入出力制御手段５８を介して、商品の属性等の基幹サーバー５０への初期登録を行うための納品処理端末６４が接続されている。基幹サーバー５０の制御手段５２には、また、ストア（デパートであるならデパートそのもの）コンピュータ６６、フロントエンドプロセッサ６２および基幹サーバー５０の入出力制御手段５８を介してＰＯＳ端末６８が接続されている。
【００１９】
上記納品処理端末６４には、制御手段（図示せず）を備え、商品の値札にバーコードで表示されている単品コードを読み取るためのバーコードスキャナ７０、納品伝票をプリントするための伝票プリンタ７２、および商品の属性を入力するための入力装置であるキーボード７４が接続されている。以上の説明で出てきた制御手段は、全てＣＰＵで構成されている。
【００２０】
上記ＰＯＳ端末６８には、カード取扱装置７６、レシートプリンタ７８、入力装置であるキーボード８０、およびバーコードスキャナ８２が接続されている。
【００２１】
次に、以上説明した構造の本商品在庫管理システムの作動について説明する。
【００２２】
先ず、納品処理端末６４を用いての各店への商品の納品処理に付いて説明する。以下の説明ではシューズショップに靴（サイズ：Ｓ、Ｍ、Ｌ  カラー：黒、赤）を納品したものとして説明する。
【００２３】
まず、バーコードスキャナ７０で値札のバーコードをスキャンしてその商品の単品コードを読み取る。その単品コードのデータ（以下、「のコード」文字は省略することがある）は、納品処理端末６４に送られ、該納品処理端末６４の制御手段に一時記憶される。次に、キーボード７４を用いて、その商品の属性（サイズ、色、単価、型番）、個数および店コードが入力されると、それらのデータ群は、納品処理端末６４の制御手段（図示せず）に送信される。
【００２４】
納品処理端末６４の制御手段は、予め一時記憶していた上記単品コードのデータを上記データ群に結びつけ、一体のデータ群とし、その一体のデータ群をその状態で納品処理サーバー６０、フロントエンドプロセッサ６２および入出力制御手段５８を介して、基幹サーバー５０の制御手段５２に送信する。
【００２５】
制御手段５２は、上記一体のデータ群を受信すると、書込・読取手段５９を介して、単品マスターファイル５６にその商品の単品コード、型番、カラー、サイズおよび単価のデータを書き込む。
【００２６】
制御手段５２はまた、書込・読取手段５９を介して、リアルタイム在庫データファイル５４に単品コード、店および在庫数のデータを書き込む。
【００２７】
次に、在庫照会端末１０の機能について説明する。
まず、値札のバーコードをバーコードスキャナ１８でスキャンして、その商品の単品コードを読み取る。その単品コードは、入出力制御手段３０に送信され、入出力制御手段３０は、この単品コードを店コードとともに入出力制御手段５８を介して制御手段５２に送信する。制御手段５２は、該単品コードが送信されると、書込・読取手段５９を作動して該単品コードで単品マスターファイル５６を検索して、その単品コードが示す商品の属性を読み取る。すなわち、その商品の型番、カラー、サイズ、単価を読み取る。また、制御手段５２は、該単品コードおよび店コードが送信されると、書込・読取手段５９を作動して該単品コードと店コードでリアルタイム在庫データファイル５４を検索して、その単品コードが示す商品の当該商品のその店での在庫数を読み取る。
【００２８】
このようにして、読み取られた商品の属性および在庫数は、制御手段５２により在庫照会端末１０の制御手段１２に送信され所定のアドレスに一時記憶される。制御手段１２は、このようにして商品の属性および在庫数を一時記憶すると、今度は、「商品の写真を撮って下さい」とのコメントをタッチパネル式ディスプレイ２２に表示させる旨の指示をディスプレイ駆動手段２２に送信する。ディスプレイ駆動手段２４は、上記指示に基づいて、タッチパネル式ディスプレイ２２に「商品の写真を撮って下さい」とのコメントを表示する。
【００２９】
操作者が、このコメントに基づき当該商品の写真で取ると、その画像データは、入出力制御手段３０を介して制御手段１２に送信される。制御手段１２は、このように当該商品の画像データが送信されると、この画像データを上記所定のアドレスに記憶された商品の属性および在庫数と結び付け（関連付け）、結び付けられたデータ群を形成し、このデータ群のデータをディスプレイ駆動手段２４に送信する。ディスプレイ駆動手段２４は、このデータ群のデータに基づき、タッチパネル式ディスプレイ２２をして、このデータ群の内容（商品の画像等）を表示させる。操作者は、表示内容を確認して、正しければキーボード１６等に設けられた登録ボタン（図示せず）を押す。このように登録ボタンが押されると、制御手段１２は、上記のデータ群を商品マスターファイル１４に記憶させるとともに、一時記憶していた上記データ群を削除して、データ群の商品マスターファイル１４への登録を完了する。
【００３０】
在庫照会端末１０商品マスターファイル１４に記憶された商品の画像データ中からタッチパネル式ディスプレイに表示すべき商品の画像データを自動的に選択するコンピュータ・プログラムを記憶した記憶手段を備えている。制御手段１２がこの記憶手段を含んでいてもよい。
【００３１】
上記コンピュータ・プログラムは、ディスプレイ駆動手段２４をして、タッチパネル式ディスプレイ２２に単数または複数の商品の画像をスライドショー形式で表示するためのブログラムを有している。
【００３２】
お客様若しくはスタッフにより、タッチパネル式ディスプレイ２２に表示された所定の商品の画像がタッチされると、上記型番認識制御手段２８は、その時に表示されていた画像の内容（スライドショーによる何番目の画像か）とその画像の位置からその商品の型番コードを抽出し、その型番コードを入出力制御手段３０を介して制御手段１２に送信する。制御手段１２は、型番コードが送信されると、その型番コードに基づき書込・読取手段３２をして、商品マスターファイル１４からその型番コードが示す型番に属する商品群の属性および在庫数を読み取らせる。書込・読取手段３２は、読み取った上記商品群の属性および在庫数を制御手段１２に送信する。
【００３３】
制御手段１２は、受信した上記商品群の属性および在庫数に基づき、図１に示した画像Ｉのデータを作成し、それをディスプレイ駆動手段２４に送信する。ディスプレイ駆動手段２４は、受信した画像Ｉのデータに基づき、タッチパネル式ディスプレイ２２をして画像Ｉを表示させる。この表示によりお客様は、自分の欲しい商品の在庫が簡単に確認できる。
【００３４】
お客様がその商品の在庫を確認し、その商品のお買い上げの際、ショップのスタッフは、通常はバーコードスキャナ１８により値札のバーコードをスキャンすることにより（キーボード１６により入力することもある）、お買い上げ商品の単品コードを読み込むが、このとき、本商品在庫管理システムでは、読み込まれた単品コードとともに店コードおよびお買い上げ情報データを基幹サーバー５０の制御手段５２にこれらのデータを送信する。
【００３５】
制御手段５２は、単品コード、店コードおよびお買い上げ情報データを受信すると、それを書込・読取手段５９に送信し、書込・読取手段５９は、リアルタイム在庫データファイル５４から単品コードおよび店コードに基づいて、その店のその商品の買い上げ前の在庫数のデータを読み取り、制御手段５２に送信する。制御手段５２は、上記在庫数データを受信すると、お買い上げ情報データに基づき買い上げ前の在庫数データからお買い上げ数を減算し、この減算した値を現在の在庫数とし、その現在の在庫数を再び、リアルタイム在庫データファイル５４の該単品コードの在庫数として更新する。これと同時に、在庫照会端末１０の商品マスターファイル１４の当該単品コードの在庫数も同様にして更新する。
以上を繰り返す。
【００３６】
以上のように、本商品在庫管理システムでは、商品のお買い上げによる在庫数の変動をリアルタイムに管理することができるので、お客様に良好なサービスができるようになる。
【図面の簡単な説明】
【００３７】
【図１】本発明の実施の形態による商品在庫管理システムの概要を説明するための模式図である。
【符号の説明】
【００３８】
１０  在庫照会端末
１１  単品コード・画像紐付け手段
１２  制御手段
１４  商品マスターファイル
１６  キーボード
１８  バーコードスキャナ
２０  デジタルカメラ
２２  タッチパネル式ディスプレイ
２４  ディスプレイ駆動手段
２６  タッチパネル式ディスプレイ手段
２８  型番認識制御手段
３０  入出力制御手段
３２  書込・読取手段
５０  基幹サーバー
５２  制御手段
５４  リアルタイム在庫データファイル
５６  単品マスターファイル
５８  入出力制御手段
５９  書込・読取手段
６０  納品処理サーバー
６２  フロントエンドプロセッサ
６４  納品処理端末
６６  ストアコンピュータ
６８  ＰＯＳ端末
７０  バーコードスキャナ
７２  伝票プリンタ
７４  キーボード
７６  カード取扱装置
７８  レシートプリンタ
８０  キーボード
８２  バーコードスキャナ
【図１】
2010039666.tif 000003